(57)【要約】【課題】原稿の片面読み取り時及び両面読み取り時に最適な読み取り性能を得ることができる画像読取装置を提供する。【解決手段】原稿の片面読み取りを行う場合と原稿の両面を同時に読み取る場合とで、白レベルの目標値を変更してシェーディング補正を行う。具体的には、原稿の読み取り方法が両面原稿読み取りであり、読み取る原稿が厚紙の場合には、原稿の透過光の影響が少ないため、片面原稿読み取りと同様に白レベルの目標値を２５５に設定する。読み取る原稿が普通紙の場合には、透過光の影響を考慮し、白レベルの目標値を２４０に設定し、読み取る原稿が薄紙の場合には、透過光の影響をより考慮して、白レベルの目標値を２３０に設定する。【選択図】      図４
2004193743.tif 000002
【特許請求の範囲】
【請求項１】
原稿の表面を読み取る第１読取手段と、該原稿の裏面を読み取る第２読取手段と、前記第１読取手段及び前記第２読取手段の白レベルの補正を行うシェーディング補正手段とを備える画像読取装置において、
前記シェーディング補正手段は、原稿の片面読み取りを行う場合と原稿の両面を同時に読み取る場合とで、該白レベルの目標値を変更してシェーディング補正を行うことを特徴とする画像読取装置。
【発明の詳細な説明】
【０００１】
【発明の属する技術分野】
本発明は、画像読取装置に関し、特に複数枚数の原稿を自動的に順次読み取るオートドキュメントフィーダ（ＡＤＦ）内部に読み取り系を具備し、原稿の表面と裏面を同時に読み取る画像読取装置に関する。
【０００２】
【従来の技術】
従来より、複数枚の原稿を自動的に順次読み取るオートドキュメントフィーダ（ＡＤＦ）内部に読み取り系や原稿反転機構を備える画像読取装置が知られている。
【０００３】
この画像読取装置が両面原稿を読み取る際には、まず原稿表面を画像読取装置側で読み取り、この読み取り終了後にＡＤＦ内部の原稿反転機構により原稿を反転し、原稿裏面を画像読取装置側で読み取るという動作を行い、両面原稿の画像を読み取っていた。
【０００４】
しかし、この装置構成では、原稿を反転する時間は画像読取装置としてのデッドタイムとなるため、読み取りパフォーマンスが低下し、また、原稿を反転させるために原稿にダメージを与えることが少なくなかった。
【０００５】
この問題に鑑み、近年ＡＤＦ内部に読み取り系を装備し、１回の原稿搬送動作によって表面画像と裏面画像を読み取る１パス両面画像読取装置が提案されている。
【０００６】
一方、画像読取装置が原稿を読み取るときには、光源により原稿が照明され、原稿画像がセンサにより読み取られるので、光源の光量むらやセンサの感度むら等によって画像誤差が生じる。画像読取装置ではこの誤差を補正するために、シェーディング補正を行っている。このシェーディング補正では、基準白色板となる部材が用いられており、ＣＣＤ等の読み取りセンサでこの基準白色板を読み取ることにより実行されている。両面同時読み取りの場合は、表面用の読み取りセンサ及び裏面用の読み取りセンサの両方のセンサについてシェーディング補正が行われる。
【０００７】
【発明が解決しようとする課題】
しかしながら、従来の画像読取装置では、基準白色板に対してランプを照射し、その反射光をサンプリングしてシェーディング補正を行うので、両面原稿の同時読み取りのように原稿の両面からランプが照射された場合には、原稿の読み取り面の反対側から照射されたランプの透過光の影響で、通常の場合に比べ白レベルの読み取り値が高くなり、その取り込みレベルに対してシェーディング補正がなされるため濃度レベルが低い部分、つまり階調の高い部分ではデータが白く飛んでしまい、画像の階調性を再現できないという問題があった。
【０００８】
本発明は、上記の問題点を解消するためになされたもので、原稿の片面読み取り時及び両面読み取り時に最適な読み取り性能を得ることができる画像読取装置を提供することを目的とする。
【０００９】
【課題を解決するための手段】
上記目的を達成するため、請求項１に記載の画像読取装置は、原稿の表面を読み取る第１読取手段と、該原稿の裏面を読み取る第２読取手段と、前記第１読取手段及び前記第２読取手段の白レベルの補正を行うシェーディング補正手段とを備える画像読取装置において、前記シェーディング補正手段は、原稿の片面読み取りを行う場合と原稿の両面を同時に読み取る場合とで、該白レベルの目標値を変更してシェーディング補正を行うことを特徴とする。
【００１０】
【発明の実施の形態】
以下、本発明の実施の形態について図面を参照して説明する。
【００１１】
図１は、本発明の実施の形態に係る画像読取装置の概略構成を示す図である。
【００１２】
本発明の実施の形態に係る画像読取装置は、原稿給送装置１と原稿読取装置１９とによって構成されている。
【００１３】
原稿給送装置１は、原稿３を載置する原稿載置部２と、給紙ローラ４と、複数枚の原稿３を分離する分離パッド５と、原稿３を排紙する原稿排紙ローラ対７と、原稿３を第１読み取り部としての露光部１３に導く大ローラ８、第１従動ローラ９及び第２従動ローラ１０と、原稿３を原稿排紙ローラ対７に導く第３従動ローラ１１と、原稿ガイド板１７と、第２読み取り部としての密着型イメージセンサ部２０とを備えている。密着型センサ部２０は図示はしていないが光源であるＬＥＤ、レンズ及びコンタクトイメージセンサ（ラインセンサ）から構成されている。また、原稿給送装置１には、密着型センサ部２０に対向するように、図示しない基準白色板が設けられており、さらに密着型センサ部２０によって原稿３の反射光を読み取ることが可能な位置に図示しない原稿照明ランプを備えている。
【００１４】
原稿読み取り装置１９は、流し読み原稿ガラス１２と、露光部１３と、露光部１３によって読み取られた画像信号をミラーユニット１４及びレンズ１５を介して受信するＣＣＤセンサ部１６と、ジャンプ台１８と、基準白色板２２とを備えている。ＣＣＤセンサ部１６はラインセンサを備えている。さらに１９はＣＣＤセンサ部１６によって、原稿３の反射光を読み取ることが可能な位置に図示しない原稿照明ランプを備えている。
【００１５】
本発明の実施の形態に係る画像読取装置は、露光部１３（第１読取手段）と原稿とを相対的に移動させながら原稿３の読み取りを行う一方で、密着型イメージセンサ部２０（第２読取手段）と原稿とを相対的に移動させながら原稿３を読み取る。
【００１６】
原稿３は原稿載置部２にセットされる。原稿給紙ローラ４は分離パッド５と対になっていて、原稿３を１枚ずつ原稿給送装置１内部に給送する。給送された原稿３は中間ローラ対６で更に原稿給送装置１内の第１移動ローラ９に送られ、大ローラ８と第１従動ローラ９による搬送に渡され、大ローラ８に沿う形で第２従動ローラ１０による搬送が行われる。大ローラ８と第２従動ローラ１０で搬送される原稿３は、流し読み原稿ガラス１２と原稿ガイド板１７との間を通り、ジャンプ台１８を経て再び大ローラ８と第３従動ローラ１１により搬送される。流し読み原稿ガラス１２と原稿ガイド板１７との間では原稿ガイド板１７により原稿３は流し読み原稿ガラス１２に接触する形で搬送される。
【００１７】
原稿３が実際に画像データとして読み込まれる前に、露光部１３及び密着型イメージセンサ部２０でシェーディング補正が行われる。露光部１３は基準白色板２２を読み取り、密着型イメージセンサ部２０は不図示の別の基準白色板を読み取ることによってそれぞれ適正な白レベルを得る。
【００１８】
原稿３は、流し読み原稿ガラス１２上を通過する際に、露光部１３により流し読み原稿ガラス１２に接している面が露光される。露光部１３は露光することにより原稿３から反射してくる原稿の画像データをミラーユニット１４に伝達する。伝達された原稿３の画像データはレンズ１５を通過し、集光されてＣＣＤセンサ部１６にて電気信号として変換される。以上の過程で原稿３の第１面（おもて面）が読み取られる。
【００１９】
次に、大ローラ８と第３従動ローラ１１により搬送された原稿３は原稿排紙ローラ対７方向へ搬送される過程で、密着型イメージセンサ部２０によって原稿３の第２面（裏面）が読み取られ、その後原稿給送装置１の装置外に排出される。
【００２０】
図２は、図１における原稿読み取り装置１９の画像制御系の主な機能を示すブロック図である。
【００２１】
ＣＣＤセンサ部１６は、画像処理部１０２に内蔵されているタイミング生成機能によって生成されたタイミング信号１０５に従って読み取り情報を順次、アナログ画像信号１０７に変換して出力する。
【００２２】
Ａ／Ｄ変換部１０１は、同じく画像処理部１０２（シェーディング補正手段）からのタイミング信号１０６に従って、ＣＣＤセンサ部１６から出力されたアナログ画像信号１０７をディジタル画像信号１０８に変換する。ディジタル画像信号１０８は画像処理部１０２に入力され、シェーディング補正等の処理が行われる。画像処理部１０２はメモリＩ／Ｆ１１４を介して画像メモリ部１０３に対して画像データを書き込み、さらに画像メモリ部１０３から読み出された画像データをプリンタ部１１５に出力する。
【００２３】
ＣＰＵ１０４（シェーディング補正手段）は原稿読み取り装置１９全体の制御を司る。ＣＰＵ１０４はＣＰＵバス１０９を介して画像処理部１０２の設定や制御、更に画像データの読み書き等を行う。また、操作部１１０及び表示部１１１は読み取りモード設定及び読み取り動作開始指示を行う。
【００２４】
次にシェーディング補正の処理について説明する。
【００２５】
本画像読取装置のように原稿３に対して原稿照明ランプを照射し、画像データをラインセンサで読み取った場合、画像の階調の高い部分は、８ビットの読み取り能力のあるラインセンサでは、２５５レベルで読み取られることが必要である。
【００２６】
図３は、ラインセンサが基準白色板を読み取った場合における該ラインセンサの各画素での読み取り値を示す図である。同図が示すようにラインセンサに読み取られた値は、光源の光量のムラやラインセンサの読み取り能力のバラツキ等により１ライン間でも均一にならないことがわかる。
【００２７】
そのため画像を読み取るに先立ち、基準白色板を原稿照明ランプで照射し、その反射光をラインセンサで読み取り、サンプリングをする。このサンプリング数は、読み取り解像度と読み取り可能領域とから決定され、例えば４００ｄｐｉで２９７ｍｍまでの読み取りが可能なラインセンサでは、４６７７画素がサンプリングされる。このサンプリングされたデータは、画像処理部１０２の内部の不図示のＲＡＭに格納された後、再度サンプリングを行って先のＲＡＭのデータに加算することが繰り返し行われ、最後にサンプリング回数で割ることでサンプリングデータが平均化される。
【００２８】
各画素単位で読み取られたレベルが２５６階調の場合、この平均化されたサンプリングデータが２５５の値になるように、各画素毎に補正係数が計算される。
【００２９】
例えば、ある画素の白色基準板の読み取りデータをＲｓ、白色基準板の読み取りレベルの目標値を２５５とした場合には、この補正係数Ｒｈは、以下の式（１）で計算される。
【００３０】
Ｒｈ＝２５５／Ｒｓ  ……（１）
式（１）の計算は画素毎に行われ、計算された補正係数は画像処理部１０２内の不図示のシェーディング補正用のＲＡＭに保持される。
【００３１】
画像を読み取る時は、読み取った画像レベルが、先に計算した補正係数で補正される。例えば、実際の画像の読み取りレベルをＲｉとした場合の補正後のレベルをＲｏとすると、補正後レベルＲｏは以下の式（２）で計算される。
【００３２】
Ｒｏ＝Ｒｉ×Ｒｈ  ……（２）
このシェーディング補正の処理は片面原稿を想定しており、両面原稿では原稿の両面サイドから原稿照明ランプにより照射されるため、読み取りレベルＲｉが片面の場合より高い値をとる。そのため、濃度レベルの低い部分の読み取りでは、Ｒｉ＞Ｒｓとなってしまう場合があり、その結果Ｒｏは２５５に丸められてしまうため、濃度レベルの高い部分ではデータが正確に反映されず、両面原稿での画像の再現性が悪くなる。
【００３３】
以下に説明する、原稿読取装置を備える複写機において、原稿をコピーする場合の処理では、このような問題を解消している。
【００３４】
図４，５は、原稿読取装置を備える複写機において原稿をコピーする場合の処理を示すフローチャートである。
【００３５】
まず、コピーをする前に、操作部１１０により動作モードが設定され（ステップＳ４０１）、ＣＰＵ１０４は、その動作モードの設定が「両両」又は「両片」であるか否かを判別する（ステップＳ４０２）。ここで、動作モードの設定が「両両」であるとは、原稿の両面を１枚の用紙の両面にコピーすることを意味し、動作モードの設定が「両片」であるとは、原稿の両面、即ち表面と裏面とをそれぞれ別の用紙の片面にコピーすることを意味する。
【００３６】
上記ステップＳ４０２の判別の結果、動作モードの設定が「両両」又は「両片」である場合には、両面同時読み取りが実行されるため、原稿厚を予め設定しておく必要があり、表示部１１１が原稿厚入力画面へと遷移する（ステップＳ４０３）。
【００３７】
図６は、原稿厚の入力を行う場合の表示部１１１の表示例を示す図である。
【００３８】
同図に示すように、原稿厚の入力を行う場合、表示部１１１は「薄紙」ボタン５０１と「普通紙」ボタン５０２と、「厚紙」ボタン５０３とを表示する。
【００３９】
例えば、ユーザは、コピーする両面原稿が薄い紙の場合は「薄紙」ボタン５０１を選択し、コピーする両面原稿が通常の用紙の場合は「普通紙」ボタン５０２を選択し、コピーする両面原稿が通常の用紙よりも厚い場合は「厚紙」ボタン５０３を選択する。
【００４０】
原稿は原稿読取装置１９のガラス板又は原稿載置部２に載置されるが、動作モードとして「両両」又は「両片」が設定されている場合は、両面同時読み取りが必要であるため原稿は必ず原稿載置部２に載置される必要がある。
【００４１】
原稿が原稿読取装置１９のガラス板又は原稿載置部２にセットされ、操作部１１０でスタートキーが押下される（ステップＳ４０４）と、まず、上下それぞれに設けられた原稿読み取り用ラインセンサ及び原稿照明ランプが通電され、次に黒の読み取りレベルを補正するために上下の読み取りラインセンサにより１ライン分のデータがサンプリングされる（ステップＳ４０５）。このサンプリングでは、読み取り可能最大領域分のサンプリングが行われ、４００ｄｐｉで２９７ｍｍまでの読み取りが可能なセンサでは、４６７７画素のデータサンプリングが行われる。
【００４２】
そのサンプリングデータから、全てのサンプリング個所の読み込みが０レベルとなるように黒レベル補正係数が計算される（ステップＳ４０６）。
【００４３】
この計算された黒レベル補正係数は不図示のＲＡＭに設定され、次に上下の原稿照明ランプが通電され、原稿照明ランプが点灯する。先に説明したようにこのまま画像を読み込むと、原稿照明ランプやセンサ等の要因で画素毎のデータレベルが均一とならないために、全画素でデータレベルが均一となるようなシェーディング補正処理が行われる。その際、補正を行う白レベルの目標値の値をいくつに設定するかを決定しておく必要があるが、先に説明したように両面原稿では、原稿の表裏から原稿照明ランプで照射されるために、片面原稿に比べ白レベルの目標値を低い値にする必要がある。さらに、原稿の厚さによっても透過率が異なるため、原稿厚が薄いほど目標レベルを低くしておくことが必要がある。
【００４４】
従って、ＣＰＵ１０４は、原稿の読み取り方法が両面原稿読み取りであるか否かを判別し（ステップＳ４０７）、原稿の読み取り方法が両面原稿読み取りでない場合、即ち、片面原稿読み取りの場合には、原稿の裏面からの透過光の影響がないため、白板の読み取りレベルの目標値を２５５に設定する（ステップＳ４０８）。
【００４５】
上記ステップＳ４０７の判別の結果、原稿の読み取り方法が両面原稿読み取りである場合には、ＣＰＵ１０４は、表示部１１１で「厚紙」ボタン５０３が押下されたか否かを判別し（ステップＳ４０９）、「厚紙」ボタン５０３が押下された場合には、先に入力された原稿厚から白レベルの目標値を決定する、即ち、厚紙が設定された場合には、原稿の透過光の影響が少ないため、片面原稿読み取りと同様に白レベルの目標値を２５５に設定する（ステップＳ４０８）。
【００４６】
上記ステップＳ４０９の判別の結果、「厚紙」ボタン５０３が押下されていない場合には、ＣＰＵ１０４は、表示部１１１で「普通紙」ボタン５０２が押下されたか否かを判別する（ステップＳ４１０）。
【００４７】
上記ステップＳ４１０の判別の結果、「普通紙」ボタン５０２が押下された場合には、ＣＰＵ１０４は、透過光の影響を考慮し、白レベルの目標値を２４０に設定し（ステップＳ４１１）、「普通紙」ボタン５０２が押下されていない場合には、「薄紙」ボタン５０１が押下されているので、透過光の影響をより考慮して、白レベルの目標値を２３０に設定する（ステップＳ４１２）。
【００４８】
次いで、上下のラインセンサのＣＣＤは、ホームポジションに設置された基準白色板を１ライン分サンプリングし（ステップＳ４１３）、その基準白色板の各画素での読み取りレベルが、先に決定した目標値のレベルとなるようなシェーディング補正データが各々計算され（ステップＳ４１４）、シェーディング補正が実行される（ステップＳ４１５）。
【００４９】
シェーディング補正が終了すると、原稿が一枚露光部１３及び密着型イメージセンサ部２０に搬送され、両面原稿読み取りである場合には、搬送された原稿は上下照明ランプで照射され、上下のラインセンサで原稿の画像データが読み取られる（ステップＳ４１６）。片面原稿読み取りである場合には、下のラインセンサで原稿の画像データが読み取られる。
【００５０】
読み取られた画像データは必要に応じて各種画像処理が施され、その後画像メモリ部１０３に蓄積され（ステップＳ４１７）、プリント部１１５により紙に印字される（ステップＳ４１８）。読み取られた原稿が原稿給紙装置１の装置外へ排紙されると次の原稿が給紙され、この動作が原稿載置部２上の原稿が全てなくなるまで実行される。
【００５１】
上述したように、本実施の形態によれば、原稿の片面読み取りを行う場合と原稿の両面を同時に読み取る場合とで、白レベルの目標値を変更してシェーディング補正が行われるので、原稿の両面を同時に読み取る場合に上下の原稿照明ランプによる互いの透過光の影響を見込んでシェーディング補正をすることができる、即ちシェーディング補正において原稿の透過光の影響を低減することができるため、原稿の片面読み取り時及び両面読み取り時に最適な読み取り性能を得ることができる。
【００５２】
また、両面同時読み取りを行うときには、原稿の厚さに応じて白レベルの目標値を変更してシェーディング補正を行うので、原稿の透過光の影響を正確に低減することができ、原稿の片面読み取り時及び両面読み取り時に最適な読み取り性能を得ることができる。
【００５３】
本発明は、上述した実施の形態の機能を実現するソフトウェアのプログラムをコンピュータ又はＣＰＵに供給し、そのコンピュータ又はＣＰＵが該供給されたプログラムを読出して実行することによっても本発明の目的が達成されることは云うまでもない。
【００５４】
この場合、上記プログラムは、不図示の該プログラムを記録した記録媒体から直接、又はインターネット、商用ネットワーク、若しくはローカルエリアネットワーク等に接続される不図示の他のコンピュータやデータベース等からダウンロードすることにより供給される。
【００５５】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【００５６】
更にまた、上述した実施の形態の機能を実現するソフトウェアのプログラムを記録した記録媒体をコンピュータに供給し、そのコンピュータが記録媒体に格納されたプログラムを読出し実行することによっても、本発明の目的が達成されることは云うまでもない。
【００５７】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−ＲＯＭ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。
【００５８】
本発明の実施態様の例を以下に列挙する。
【００５９】
〔実施態様１〕  原稿の表面を読み取る第１読取手段（１３）と、該原稿の裏面を読み取る第２読取手段（２０）と、前記第１読取手段及び前記第２読取手段の白レベルの補正を行うシェーディング補正手段（１０２，１０４）とを備える画像読取装置において、前記シェーディング補正手段は、原稿の片面読み取りを行う場合と原稿の両面を同時に読み取る場合とで、該白レベルの目標値を変更してシェーディング補正を行うことを特徴とする画像読取装置。
【００６０】
〔実施態様２〕  前記シェーディング補正手段は、白レベルの基準となる白色部材と、前記白色部材の反射光をサンプリングするサンプリング手段と、前記サンプリング手段によりサンプリングされたデータが予め決められた白レベル目標値となるように補正データを計算する補正データ計算手段と、その計算された補正データを前記第１読取手段及び前記第２読取手段に反映する反映手段とを備え、前記反映手段により補正データが反映された前記第１読取手段が原稿の表面を読み取り、前記反映手段により補正データが反映された前記第２読取手段が該原稿の裏面を読み取るように構成されていることを特徴とする実施態様１に記載の画像読取装置。
【００６１】
〔実施態様３〕  前記シェーディング補正手段は、両面同時読み取りを行うときには、原稿の厚さに応じて白レベルの目標値を変更してシェーディング補正を行うことを特徴とする実施態様１又は２に記載の画像読取装置。
【００６２】
〔実施態様４〕  原稿の表面を読み取る第１読取ステップと、該原稿の裏面を読み取る第２読取ステップと、前記第１読取ステップ及び前記第２読取ステップにおける読み取り時の白レベルの補正を行うシェーディング補正ステップとを備える画像読取方法において、前記シェーディング補正ステップは、原稿の片面読み取りを行う場合と原稿の両面を同時に読み取る場合とで、該白レベルの目標値を変更してシェーディング補正を行うことを特徴とする画像読取方法。
【００６３】
〔実施態様５〕  前記シェーディング補正ステップは、白色部材の反射光をサンプリングするサンプリングステップと、前記サンプリングステップによりサンプリングされたデータが予め決められた白レベル目標値となるように補正データを計算する補正データ計算ステップと、その計算された補正データを前記第１読取ステップ及び前記第２読取ステップに反映する反映ステップとを備え、前記反映ステップにより補正データが反映された前記第１読取ステップで原稿の表面を読み取り、前記反映ステップにより補正データが反映された前記第２読取ステップで該原稿の裏面を読み取ることを特徴とする実施態様４に記載の画像読取方法。
【００６４】
〔実施態様６〕  前記シェーディング補正ステップは、両面同時読み取りを行うときには、原稿の厚さに応じて白レベルの目標値を変更してシェーディング補正を行うことを特徴とする実施態様４又は５に記載の画像読取方法。
【００６５】
〔実施態様７〕  原稿の表面を読み取る第１読取手段と、該原稿の裏面を読み取る第２読取手段とを備える画像読取装置で使用される画像読取装置用プログラムにおいて、前記第１読取手段及び前記第２読取手段の白レベルの補正を行うシェーディング補正ステップと、前記シェーディング補正ステップが、原稿の片面読み取りを行う場合と原稿の両面を同時に読み取る場合とで、該白レベルの目標値を変更してシェーディング補正を行うように制御する制御ステップとを前記画像読取装置に実行させることを特徴とする画像読取装置用プログラム。
【００６６】
〔実施態様８〕  前記画像読取装置用プログラムは、前記シェーディング補正ステップとして、白色部材の反射光をサンプリングするサンプリングステップと、前記サンプリングステップによりサンプリングされたデータが予め決められた白レベル目標値となるように補正データを計算する補正データ計算ステップと、その計算された補正データを前記第１読取ステップ及び前記第２読取ステップに反映する反映ステップとを前記画像読取装置に実行させ、前記制御ステップとして、前記反映ステップにより補正データが反映された前記第１読取手段で原稿の表面を読み取らせ、前記反映ステップにより補正データが反映された前記第２読取手段で該原稿の裏面を読み取らせることを特徴とする実施態様７に記載の画像読取装置用プログラム。
【００６７】
〔実施態様９〕  前記シェーディング補正ステップは、両面同時読み取りを行うときには、原稿の厚さに応じて白レベルの目標値を変更してシェーディング補正を行うことを特徴とする実施態様７又は８に記載の画像読取装置用プログラム。
【００６８】
〔実施態様１０〕  実施態様７乃至９のいずれか１つに記載の画像読取装置用プログラムを格納することを特徴とする記憶媒体。
【００６９】
【発明の効果】
以上詳細に説明したように、本発明によれば、原稿の片面読み取りを行う場合と原稿の両面を同時に読み取る場合とで、白レベルの目標値を変更してシェーディング補正が行われるので、原稿の両面を同時に読み取る場合に上下の原稿照明ランプによる互いの透過光の影響を見込んでシェーディング補正をすることができる、即ちシェーディング補正において原稿の透過光の影響を低減することができるため、原稿の片面読み取り時及び両面読み取り時に最適な読み取り性能を得ることができる。
【図面の簡単な説明】
【図１】本発明の実施の形態に係る画像読取装置の概略構成を示す図である。
【図２】図１における原稿読み取り装置１９の画像制御系の主な機能を示すブロック図である。
【図３】ラインセンサが基準白色板を読み取った場合における該ラインセンサの各画素での読み取り値を示す図である。
【図４】原稿読取装置を備える複写機において原稿をコピーする場合の処理を示すフローチャートである。
【図５】原稿読取装置を備える複写機において原稿をコピーする場合の処理を示すフローチャートである。
【図６】原稿厚の入力を行う場合の表示部１１１の表示例を示す図である。
【符号の説明】
１  原稿給送装置
２  原稿載置部
３  原稿
４  給紙ローラ
５  分離パッド
７  原稿排紙ローラ対７
８  大ローラ
２０  密着型センサ部
１３  露光部
１０２  画像処理部
１０４  ＣＰＵ
【図１】
2004193743.tif 000003
【図２】
2004193743.tif 000004
【図３】
2004193743.tif 000005
【図４】
2004193743.tif 000006
【図５】
2004193743.tif 000007
【図６】
2004193743.tif 000008